【手続補正書】
【提出日】平成19年5月24日(2007.5.24)
【手続補正１】
【補正対象書類名】明細書
【補正対象項目名】発明の名称
【補正方法】変更
【補正の内容】
【発明の名称】携帯電話機から取得した情報をサーバに処理させる方法及びサーバ
【手続補正２】
【補正対象書類名】明細書
【補正対象項目名】特許請求の範囲
【補正方法】変更
【補正の内容】
【特許請求の範囲】
【請求項１】  携帯電話機から取得した情報をサーバに処理させる方法であって、
前記サーバが、
前記携帯電話機から、電話番号、発呼日時および当該携帯電話機の所在地に関わる所在情報を含む付加情報を取得するステップと、
電話番号と、地図画面を含む参照用Webページとが関連付けて登録された参照地図データベースから、取得した前記電話番号に関連付けて登録された前記参照用Webページを検索するステップと、
検索した前記参照用Webページに含まれる地図画面上の、取得した前記所在情報に対応する位置に所定の所在記号を付加するステップと、
利用者コンピュータが前記参照用Webページにアクセスした際に、資格認証手続きを行うステップと、
前記資格認証の完了した利用者コンピュータに、前記参照用Webページを送信するステップと、
を実行することを特徴とする方法。
【請求項２】  前記携帯電話機による所在通報用Webページへのアクセスに基づくデータパケットを、前記サーバに接続された着信処理装置が受信し、前記付加情報を取得するステップでは、当該着信処理装置から電話番号、発呼日時および前記所在情報としての基地局番号を取得することを特徴とする請求項１に記載の方法。
【請求項３】  前記付加情報を取得するステップにおいて、前記所在情報の取得は、携帯電話機から、前記サーバに接続された着信処理装置への公衆電話網を通じた着呼を受けた際に認知した携帯電話機の電話番号に基づいて行うことを特徴とする請求項１に記載の方法。
【請求項４】  前記付加情報は、参照用Webページ閲覧者へのメッセージを含み、前記所在記号を付加するステップでは、前記基地局番号に対応する位置に前記所定の所在記号と共に当該メッセージを付加することを特徴とする請求項１乃至３の何れかに記載の方法。
【請求項５】  前記メッセージは、携帯電話機から発信された音声によるメッセージをデータカプセル化した音声メッセージであることを特徴とする請求項４に記載の方法。
【請求項６】  携帯電話機から取得した情報を処理するサーバであって、
前記携帯電話機から、電話番号、発呼日時および当該携帯電話機の所在地に関わる所在情報を含む付加情報を取得する手段と、
電話番号と、地図画面を含む参照用Webページとが関連付けて登録された参照地図データベースにアクセスする手段と、
前記参照地図データベースから、取得した前記電話番号に関連付けて登録された前記参照用Webページを検索する手段と、
検索した前記参照用Webページの地図画面上の前記基地局番号に対応する位置に所定の所在記号を付加する手段と、
利用者コンピュータが前記参照用Webページにアクセスした際に、資格認証手続きを行う手段と、
前記資格認証の完了した利用者コンピュータに、前記参照用Webページを送信する手段と、を備えることを特徴とするサーバ。
【手続補正３】
【補正対象書類名】明細書
【補正対象項目名】０００５
【補正方法】変更
【補正の内容】
【０００５】
【課題を解決するための手段】
この目的を達成するため、本発明は、携帯電話機から取得した情報をサーバに処理させる方法であって、
前記サーバが、
前記携帯電話機から、電話番号、発呼日時および当該携帯電話機の所在地に関わる所在情報を含む付加情報を取得するステップと、
電話番号と、地図画面を含む参照用Webページとが関連付けて登録された参照地図データベースから、取得した前記電話番号に関連付けて登録された前記参照用Webページを検索するステップと、
検索した前記参照用Webページに含まれる地図画面上の、取得した前記所在情報に対応する位置に所定の所在記号を付加するステップと、
利用者コンピュータが前記参照用Webページにアクセスした際に、資格認証手続きを行うステップと、
前記資格認証の完了した利用者コンピュータに、前記参照用Webページを送信するステップと、
を実行することを特徴とする。
【手続補正４】
【補正対象書類名】明細書
【補正対象項目名】０００６
【補正方法】変更
【補正の内容】
【０００６】
また、本発明において、前記携帯電話機による所在通報用Webページへのアクセスに基づくデータパケットを、前記サーバに接続された着信処理装置が受信し、前記付加情報を取得するステップでは、当該着信処理装置から電話番号、発呼日時および前記所在情報としての基地局番号を取得することとしてもよい。
【手続補正５】
【補正対象書類名】明細書
【補正対象項目名】０００７
【補正方法】変更
【補正の内容】
【０００７】
また、前記付加情報を取得するステップでは、前記所在情報の取得は、携帯電話機から、前記サーバに接続された着信処理装置への公衆電話網を通じた着呼を受けた際に認知した携帯電話機の電話番号に基づいて行うこととしてもよい。
【手続補正６】
【補正対象書類名】明細書
【補正対象項目名】０００８
【補正方法】変更
【補正の内容】
【０００８】
また、前記付加情報は、参照用Webページ閲覧者へのメッセージを含み、前記所在記号を付加するステップでは、前記基地局番号に対応する位置に前記所定の所在記号と共に当該メッセージを付加することとしてもよく、この場合、前記メッセージは、携帯電話機から発信された音声によるメッセージをデータカプセル化した音声メッセージであってもよい。
さらに、本発明は、携帯電話機から取得した情報を処理するサーバであって、
前記携帯電話機から、電話番号、発呼日時および当該携帯電話機の所在地に関わる所在情報を含む付加情報を取得する手段と、
電話番号と、地図画面を含む参照用Webページとが関連付けて登録された参照地図データベースにアクセスする手段と、
前記参照地図データベースから、取得した前記電話番号に関連付けて登録された前記参照用Webページを検索する手段と、
検索した前記参照用Webページの地図画面上の前記基地局番号に対応する位置に所定の所在記号を付加する手段と、
利用者コンピュータが前記参照用Webページにアクセスした際に、資格認証手続きを行う手段と、
前記資格認証の完了した利用者コンピュータに、前記参照用Webページを送信する手段と、を備えることを特徴とする。
【手続補正７】
【補正対象書類名】明細書
【補正対象項目名】００１２
【補正方法】変更
【補正の内容】
【００１２】
＜参照用Ｗebページの設定＞
会員登録を済ませた特定人物は、つぎに自分の所在を仲間に知らせるための専用の参照用Ｗebページを登録する。この登録は所在情報提供サーバＳ１が提供する設定用Ｗebページにアクセスして行う。設定用ＷebページのＵＲＬにアクセスし前記認証情報による資格認証手続きを済ませると、特定人物が操作する利用者コンピュータＣに図２に示す地図設定用Ｗebページが送られてくる。特定人物はこの画面に用意されている地名検索による範囲指定、スクロールバーによる表示地域の変更、地図縮尺の変更などの機能を利用して仲間に参照させたい地域を含んだ地図画面のイメージを表示させ、さらにこの地図画面に設けられている予定ルート指定ツールにより前記地図画面上に予定ルートを描画する。以上の設定が終了し特定人物が所定の完了操作を行うと、利用者コンピュータＣから前記地図画面の設定情報が所在情報提供サーバＳ１に送信される。